(57)【要約】【課題】通信チャネル上で受信したフレームにおけるＤＴＸフレームを検出する方法および電力制御方法を提供すること。【解決手段】チャネル上で無線リンク・プロトコル（ＲＬＰ）情報を通信チャネル上で受信することができ、前記ＲＬＰ情報に基づいて、ＲＬＰ情報に関連する１つまたは複数のフレームをイレーシャまたはＤＴＸフレームとして判定することができる。そのような判定は指定されたサービス品質に関係するしきい値を調節するために外側ループ電力制御アルゴリズムに組み込むことができる。【選択図】図１
2004343769.tif 000002
【特許請求の範囲】
【請求項１】
不連続伝送（ＤＴＸ）モード能力を有する通信チャネルのための外側ループ電力制御を行う方法であって、
チャネル上で無線リンク・プロトコル（ＲＬＰ）情報を受信する工程と、
前記ＲＬＰ情報に基づいて、前記ＲＬＰ情報に関連する１つまたは複数のフレームがイレーシャまたはＤＴＸフレームとして受信されたかどうかを判定する工程と、
前記判定工程に従って電力制御のための指定されたサービス品質に関係するしきい値を調節する工程と
を備える方法。
【請求項２】
前記受信したＲＬＰ情報が前記１つまたは複数のフレームのフレーム順序番号を含有し、
前記判定工程が前記フレーム順序番号に間隙があるかどうかを判定する工程をさらに含む請求項１に記載の方法。
【請求項３】
前記判定工程は、前記検出工程が前記受信したフレーム順序番号の間隙を検出した場合、誤りとともに受信されるデータ・フレームであるイレーシャが受信されたかどうかを判定する工程をさらに含み、
前記しきい値を調節するために失われたフレームのフレーム順序番号とともに、送信電力の増大によって満足される修正されたしきい値を指定する否定応答（ＮＡＣＫ）を送る工程をさらに備える請求項２に記載の方法。
【請求項４】
不連続伝送（ＤＴＸ）モード能力を有する通信チャネル上で送信電力を制御する方法であって、
チャネル上で無線リンク・プロトコル（ＲＬＰ）情報を含むフレームを送信する工程と、
前記送信されたＲＬＰ情報に応答して受信した応答メッセージに基づいて前記フレームが送信されたチャネルの送信電力を調節する工程と
を備える方法。
【請求項５】
前記送信工程が、その中にデータを含有する各フレームにフレーム順序番号を付加する工程を含み、データなしで送信されるフレームがフレーム順序番号なしで送信されるＤＴＸフレームであり、
前記調節工程が、否定応答（ＮＡＣＫ）が受信された場合に送信電力を上げる工程をさらに含み、前記ＮＡＣＫが、検出されたイレーシャのインスタンスを表し、イレーシャが、誤りとともに受信されるデータをその中に含有するフレームを指示し、前記イレーシャが、複数の受信されたフレーム順序番号に検出された間隙によって表わされる請求項４に記載の方法。
【請求項６】
不連続伝送（ＤＴＸ）モード能力を有する通信チャネルのための外側ループの電力制御を行う方法であって、前記外側ループ電力制御を実装する受信機においてＤＴＸフレームの盲検出の必要をなくすように、無線リンク・プロトコル（ＲＬＰ）情報を使用してＤＴＸフレームからイレーシャを区別する方法。
【請求項７】
不連続伝送（ＤＴＸ）モード能力を有する１次チャネルおよび２次チャネルを採用する無線通信システムにおいて、２次チャネルのための外側ループ電力制御を行う方法であって、
前記１次チャネルと前記２次チャネルの両方で送られるデータ・フレームのフレーム順序番号情報を含有する無線リンク・プロトコル（ＲＬＰ）情報を１次チャネル上で受信する工程と、
前記ＲＬＰ情報に基づいて、前記２次チャネルにおける前記ＲＬＰ情報に関連する１つまたは複数のフレームがイレーシャまたはＤＴＸフレームとして受信されたかどうかを判定する工程と、
前記判定工程に従って前記２次チャネルの電力制御のための指定されたサービス品質に関係するしきい値を調節する工程と
を備える方法。
【請求項８】
前記判定工程が、前記フレーム順序番号に間隙があるかどうかどうかを検出する工程をさらに含み、前記検出工程が間隙を検出した場合、イレーシャが受信されており、イレーシャが誤りとともに受信されるデータ・フレームであり、
前記２次チャネルにおける失われたフレームのフレーム順序番号とともに、前記２次チャネル上で送信電力の増大によって満足される修正されたしきい値を指定する否定応答（ＮＡＣＫ）を送る工程と
をさらに備える請求項７に記載の方法。
【請求項９】
通信チャネル上で受信したフレームの不連続伝送（ＤＴＸ）フレームを検出する方法であって、
チャネル上で無線リンク・プロトコル（ＲＬＰ）情報を受信する工程と、
前記ＲＬＰ情報に基づいて、前記ＲＬＰ情報に関連する１つまたは複数のフレームがイレーシャまたはＤＴＸフレームとして受信されたかを判定する工程と
を備える方法。
【請求項１０】
前記ＲＬＰ情報が前記１つまたは複数のフレームのフレーム順序番号を含有し、
前記検出工程が、前記受信したフレーム順序番号に間隙が存在するかどうかを検出する工程をさらに含み、前記検出工程が間隙を検出した場合、イレーシャが受信されており、イレーシャが誤りとともに受信されるデータ・フレームであり、前記検出工程が前記ＲＬＰ情報に間隙およびフレーム順序番号を検出しない場合、ＤＴＸフレームが受信されており、前記ＤＴＸフレームがデータなしで送られるフレームである請求項９に記載の方法。
【発明の詳細な説明】
【技術分野】
【０００１】
本発明は、一般に通信システムに関し、より詳細には、これらの通信システムにおける不連続伝送（ＤＴＸ）フレーム検出による電力制御方法に関する。
【背景技術】
【０００２】
符号分割多重アクセス（ＣＤＭＡ）システムでは、所望のレベルの性能を維持しながら電力消費および干渉を最小限に抑えるために電力制御機構が一般に使用される。従来、この電力制御機構は２つの電力制御ループで実装される。第１の電力制御ループ（しばしば「内側」電力制御ループまたは「内側ループ」と呼ばれる）は、（たとえば信号対雑音比によって測定される）移動局受信機において受信された送信の信号品質が特定の目標信号対雑音比または目標Ｅｂ／Ｎ０に維持されるように各移動局への送信電力を調節する。目標Ｅｂ／Ｎ０（ただしＥｂは情報ビット当たりのエネルギー、Ｎ０は受信機から見た干渉の電力スペクトル密度）は、しばしば電力制御設定点またはしきい値と呼ばれる。第２の電力制御ループ（しばしば「外側」電力制御ループまたは「外側ループ」と呼ばれる）は、たとえば特定の目標ブロック誤り率（ＢＬＥＲ）、フレーム誤り率（ＦＥＲ）、またはビット誤り率（ＢＥＲ）などによって測定される性能の所望のレベルの性能が維持されるように、しきい値を調節する。
【０００３】
たとえば、リンク（たとえばフォワードリンクまたは逆リンク）電力制御レベルでは、内側ループがしきい値を受信信号の測定されたＥｂ／Ｎ０と比較する。これは、たとえば１．２５ｍｓ間隔で周期的に測定される。測定されたＥｂ／Ｎ０がしきい値よりも小さい場合、受信機はリンク上の電力の増大を要求する。言い換えると、ＦＥＲが容認できる範囲外にある（すなわち高すぎる）ように、受信機が受信された伝送のフレームを復号しているときに非常に多くの復号誤りがある。測定されたＥｂ／Ｎ０がしきい値よりも大きい場合、受信機はリンク上の電力の減少を要求する、すなわち復号された伝送は誤りを含有せず、したがってシステムは効率が良すぎる（ＦＥＲが容認できる範囲より下になる）ことがあり、送信電力が浪費されることがある。
【０００４】
外側ループは内側ループを囲み、内側ループよりもはるかに遅い速度で、たとえば２０ｍｓ間隔などで動作する。外側ループはリンクのサービス品質を維持する。外側ループがないと、システムは固定のしきい値で動作することになる。しかし、固定しきい値は、チャネル条件の変化、送信電力、システム負荷、移動体の速度、チャネルの速度、チャネルの復号など、チャネルおよび／または環境条件の変化に適さないことがある。しきい値は変化するチャネル／環境条件に適応性がある必要がある。外側ループがリンクの品質を見て、品質が悪すぎる場合、外側ループは相応してしきい値を増大させる。リンク品質が良すぎる（すなわちＦＥＲが約１％の音声伝送の目標ＦＥＲよりも低く、データ伝送にはより高い）場合、外側ループはシステム・リソースを過度に浪費しないようにしきい値を再調節する。
【０００５】
外側ループ電力制御は、無線通信システムが不連続伝送を許容する場合に悪影響を受けることがある。不連続伝送またはＤＴＸは、リソース、処理非効率などの点で費用がかかることがあるチャネルの解放を回避するために、送るべきデータがない場合に基地局または移動局がその送信機を自律的にオンまたはオフに切り換える動作モードである。チャネルの解放はデータ・スループットを破壊することがあり、システム・ダウンタイムを増大させることがある。ＤＴＸモードのデータ伝送は送信電力を最小限に抑え、システムとの干渉の減少により全システム容量を増大させる。ＤＴＸモードは基地局／移動局リソースを使用するための効率的な方法である。しかしながら、ＤＴＸモードのシステムは、ＤＴＸモードの送信機がフレームを予告なしに（すなわち自律的に）送信するので、フレームが送信されたか否かを受信機が知らないときに問題を現す。このため受信機（たとえば基地局など）が電力制御を行うことが困難になる。
【０００６】
ＤＴＸフレームとして送信されるフレームは、送信されるが誤りを含有するフレームと同様のＥｂ／Ｎ０を有することがある。送信され、誤りとともに受信されるフレームは「イレーシャ（ｅｒａｓｕｒｅ）」と呼ばれる。したがって、真の誤りとともに送信され、誤りとともに受信されるフレーム（イレーシャ）と、データとともに送信されていないフレーム、すなわち、たとえばゼロ・ゲインで送信される空データ・フレーム−ＤＴＸフレームとを受信機が区別することが困難になる。
【発明の開示】
【発明が解決しようとする課題】
【０００７】
受信機における現在のＤＴＸ検出手順はＤＴＸフレームからイレーシャを区別しようと試みる。現在のＤＴＸ検出器はエネルギー（Ｅｂ／Ｎ０）の検出に基づいてのみ判別する。これは、特に信号強度が低い場合に困難なことが分かっている。低いＥｂ／Ｎ０では、ＤＴＸ検出は、ＤＴＸフレームがイレーシャと間違われ、その逆もあるので信頼できないことがある。アイデンティティ間違いのこれら場合は、チャネル／環境条件の変化のために外側ループがリンクの変化を効果的に追跡するのを妨げることがある。したがって、受信機における外側ループは、しきい値を維持するべきか、しきい値を変更するべきかを判定することができない。外側ループは満足するように内側ループのしきい値を設定するので、内側ループ電力制御も影響を受ける。言い換えれば、ＤＴＸ検出器がイレーシャとＤＴＸとを正確に判別することができない場合、電力制御が不正確になり、潜在的に電力および／またはシステム・リソースを浪費するか、または不必要な再送信、場合によってはチャネルの不注意による解放を引き起こし、システム・ダウンタイムを不必要に増大させることがある。これはリンク性能およびシステム能力の損失と解釈することができる。したがって、ＤＴＸフレームを正確に検出する必要がある。
【課題を解決するための手段】
【０００８】
本発明の例示的な実施形態は、通信チャネル上で受信されたフレームにおけるＤＴＸフレームを検出する方法および送信電力を制御する方法であって、チャネル上で受信された無線リンク・プロトコル（ＲＬＰ）情報を受信することができ、前記ＲＬＰ情報に基づいて、ＲＬＰ情報に関連する１つまたは複数のフレームをイレーシャまたはＤＴＸフレームとして判定することができる方法を対象とする。そのような判定は指定されたサービス品質に関係するしきい値を調節するために外側ループ電力制御アルゴリズムに組み込むことができる。
【０００９】
本発明の例示的な実施形態は、以下に与える詳細な説明、およびただ説明のために与えられ、したがって本発明の例示的な実施形態を限定しない、同じ要素が同じ参照番号で表わされる、添付図面からより完全に理解されるであろう。
【発明を実施するための最良の形態】
【００１０】
本発明の例示的な実施形態では、受信されたフレームが誤りを有しないかどうか、ＤＴＸフレームかイレーシャか、応答メッセージはデータ・フレームが通信チャネル上で送信される電力を制御するための送信機に送られるべきかどうかを判定するために通信チャネルの無線リンク・プロトコル（ＲＬＰ）層上で受信された情報（以下「ＲＬＰ情報」）を評価することができる。例示的な実施形態では、ＤＴＸフレーム検出、したがって外側ループ電力制御（「外側ループ」）はＲＬＰ情報において受信されるフレーム順序番号の存在または不在に基づくことができる。
【００１１】
送信機は、たとえばパケットに対するヘッダとして、それに付加されるＲＬＰ情報内の複数の連続的なフレーム順序番号をもつデータのパケットを送る。受信機はフレーム順序番号が存在することを確認するためにフレーム順序番号を見る。ＲＬＰ層機能が受信されたフレーム順序番号の間隙を検出したかどうかに基づいて、受信機は失われたフレーム順序番号を再送信するために適切な応答メッセージを送信機に送ることができる。受信されたフレーム順序番号の間隙は受信されたフレーム順序番号の不連続性として定義することができる。ＲＬＰ機能はＤＴＸフレームとイレーシャとの差異を判定するためにＲＬＰ情報におけるこれらの間隙を探索する。ＤＴＸフレームはフレーム順序番号を含有しないので、ＤＴＸは間隙を有しない。イレーシャは連続的なフレーム順序番号間に間隙を有することができる。間隙が検出された場合、この情報は、外側ループがしきい値を調節するように、たとえば巡回冗長符号（ＣＲＣ）検査の失敗によって指示されるように、外側ループに通信することができる。
【００１２】
上述のようにＲＬＰ情報を使用することは、効果的ＤＴＸフレーム検出およびイレーシャとの差別化のための解決策、ならびに効率的な外側ループ電力制御を提供することができる。本方法は、受信機におけるＤＴＸフレームの盲検出を使用するアルゴリズムまたはプロセスの必要を無くすことができる。
【００１３】
ＲＬＰ情報内のフレーム順序番号の間隙が（たとえば１つまたは複数の基地局と通信するメッセージ・スイッチング・センタ（ＭＳＣ）に常駐することができる）ＲＬＰ層機能によって検出された場合、受信機は否定応答（ＮＡＣＫ）などの応答メッセージを送り、失われたフレーム順序番号の再送信を要求する。本方法は、たとえば基地局または無線移動局内のトランシーバ回路の一部とすることができる受信機に実装することができる。あるいは、本方法は、１つまたは複数の基地局と通信するＭＳＣにおいて実装することができ、各基地局は特定の無線システムの特定のセクタまたはセル内の１つまたは複数の移動体を処理する。
【００１４】
図１は本発明の例示的な実施形態による方法を示す流れ図である。通信チャネルのリンク層は一般にマルチプレックス用の無線リンク・プロトコル（ＲＬＰ）、流れ制御および再送信能力をサポートする。ＲＬＰ層はデータ・フレームが送信されたときにリンク上で送信機と受信機の間で活動化する。ＲＬＰ層機能は、たとえばヘッダとして送信されたパケットに付加されるＲＬＰ情報内のフレーム順序番号のストリングの間隙を探索する。
【００１５】
したがって、本方法では、ＲＬＰ層機能はＲＬＰ情報に含まれるフレーム順序番号の間隙を探索する（工程Ｓ１０）。受信機において、フレーム順序番号の間隙が検出され（工程Ｓ２０の出力がイエスである）、受信された次の「良好」なフレーム（たとえば、誤りのないＣＲＣ符号によって明らかにされるような、誤りを有しないデータを搬送するフレーム）が順序外である場合（工程Ｓ３０）、受信機はイレーシャが受信されたばかりであると判定し（工程Ｓ４０）、たとえば否定応答（ＮＡＣＫ）の形態とすることができる応答メッセージを送る。イレーシャが検出された場合、再送信要求が間隙または失われたフレーム順序番号を示す情報とともに送信機に送られる。
【００１６】
フレーム順序番号の間隙が検出されない（工程Ｓ２０の出力がノーである）場合、ＲＬＰ層機能はフレーム順序番号がＲＬＰ情報にも存在する否かを判定する（工程Ｓ５０）。存在し、間隙が検出されない（工程Ｓ５０の出力がイエスである）場合、フレームは満足に受信される（工程Ｓ６０）。誤りがなく、応答（ＡＣＫ）などの応答メッセージを送信機に送ることができる（工程Ｓ６０）。工程Ｓ５０の出力がノーである場合、ＤＴＸフレームが送信機から受信されたばかりであり、受信機の外側ループは所望のＤＴＸプロトコルを実装することができる（工程Ｓ７０）。このＤＴＸプロトコルは現在のしきい値を維持することができ、システム電力レベルに収束し、参照しきい値にシフト・アップまたはダウンし、現在のしきい値を維持し、追加のＤＴＸフレームが送信されているか、または受信機がソフト・ハンドオフにあるかどうかに依存することがあるプロトコル、または当業者に明らかな他のＤＴＸプロトコルを判定するために指定されただけの時間待機する。したがって、ＲＬＰ情報で受信されるフレーム順序番号情報を、ＤＴＸフレームをイレーシャと区別するために使用することができる。
【００１７】
図２は本発明の例示的な実施形態による電力を送信するための調節を示す流れ図である。イレーシャが正しく検出されると、外側ループはしきい値（すなわち目標Ｅｂ／Ｎ０設定点）を増大させる（工程Ｓ４２）。たとえば例示的なＣＤＭＡ通信システムでは、内側ループ電力制御アルゴリズム（「内側ループ」）は目標、たとえば外側ループによって設定されたしきい値を満足するように設計される。したがって、内側ループは、たとえば約１％の所望のＦＥＲが達成できるような、送信されるデータ・フレームで送られる誤りの数を容認できるレベルまで減らすために送信電力ＰＴＸを調節する（工程Ｓ４４）。他方、ＤＴＸフレームが受信された場合、外側ループはリンク品質、すなわち所望のシステムＦＥＲ、ＢＬＥＲ、ＢＥＲなどを維持するためにしきい値を維持または調節するために所望のＤＴＸを実装することができる。
【００１８】
ＤＴＸフレームとイレーシャとを区別する能力に基づいて、送信電力はイレーシャがうまく検出され、現在のレベルを維持されたときに調節することができ、および／またはＤＴＸフレームが受信されたときに外側ループでＤＴＸプロトコルを使用して調節することができる。このようにして、外側ループは、受信されたＲＬＰ情報に存在するフレーム順序番号間隙に基づいて、受信されたＤＴＸフレームと受信されたイレーシャの両方を正しくかつ正確に取り扱うことができる。フレーム順序番号は受信機において連続的に受信することができ、それによって電力制御外側ループの入力の不連続を回避する。これは外側ループによって使用される情報の信頼性を高めることができ、特定のＤＴＸ検出を行う必要を回避することができる。
【００１９】
図３は本発明の例示的な実施形態による送信機に関する方法を示す流れ図である。ＲＬＰ層はデータ（すなわちデータ・パケット）が送信されたときに活動化するので、送信機のＲＬＰ層機能は、それがいつデータ・フレームを受信機に送るのかを知っている。ＲＬＰ層機能は通常、フレーム順序番号が送信される各データ・フレームに付加されることを記述する。送るべきデータがない場合、送信機はＤＴＸする（たとえばゼロ・ゲインのＤＴＸフレームを送る）ことができ、したがってＲＬＰ層のフレーム順序番号を送ることはない。
【００２０】
したがって、送信機はすべてのデータ・フレームにフレーム順序番号を付加する（工程Ｓ３１０）が、ＤＴＸフレーム用のフレーム順序番号を付加したり送ることはない。フレーム順序番号情報は１次チャネル上で送られるＲＬＰ情報に含まれ、データ・フレームは２次チャネル上で送られる（工程Ｓ３２０）。送信に応答してＮＡＣＫが発行された（つまり間隙が検出された）（工程Ｓ３３０の出力がイエスである）場合、送信機によって送られたデータ・フレームの１つまたは複数は誤りで（たとえばイレーシャとして）受信される。したがって、外側ループはしきい値を増大させ、送信機は、それらのイレーシャを再送信するために、内側ループの制御下でその送信電力ＰＴＸを増大させる（工程Ｓ３５０）。上記で議論したように、内側ループは外側ループによって判定される新しいしきい値（増大した目標Ｅｂ／Ｎ０設定点）を満足しようと試みる。
【００２１】
ＮＡＣＫが発行されない（工程Ｓ３３０の出力がノーである）場合、送信機は、それがデータなしでＤＴＸを送信したことを既に知っているので送信し続け、したがってフレーム順序番号がフレームに付加されなかった。しかしながら、ＤＴＸフレームがＣＲＣ誤りを含有するので、外側ループは、リンクを維持するために、上述のように所望のＤＴＸプロトコルを実装することができる。
【００２２】
上記の実施形態はＤＴＸに許容される２次チャネルを電力制御するために使用することもできる。１次チャネルおよび２次チャネルはチャネルのそれぞれの活動セットの一部である。１次チャネルの活動セットおよび２次チャネルの活動セットはユーザと１つまたは複数の基地局との間の確立された通信のために特定のユーザに割り当てることができる。基地局（またはセクタあるいはセル）は活動セットのメンバーである。すなわちメンバーはチャネル接続にマッピングされる（すなわち接続される）。
【００２３】
２次チャネルは１次チャネルよりも信頼できないことがある。これは、たとえば、２次チャネルが縮小活動セットで動作する場合にそうなることがある。縮小活動セット条件は、２次チャネルの活動セットのメンバーが１次チャネルの活動セットのサブセットである（たとえば１次チャネルが多数の基地局とのソフト・ハンドオフにあり、２次チャネルがただ単一の基地局に接続される）ときに起こる。現在、２次チャネル上のフレームが、たとえばチャネルのフェードによりイレーシャとして受信された場合は、良好なフレーム順序番号をもつ良好なフレームが受信された後でのみ再送信要求が通常発行されるであろう。しかしながら、多数のフレームにわたる誤りのバーストと解釈することができるフェードが長い場合、「良好な」フレーム（ＣＲＣ誤りがないことよって証明されるような、誤りなしでフレームが送信および受信されるフレーム）を獲得するために非常に多数のフレームを要することがある。さらに、フレーム順序番号間隙が非常に遅く検出された（すなわち外側ループがこの情報を十分迅速に獲得することができない）場合、追加の待ち時間が外側ループに追加され、その性能を劣化させることがある。
【００２４】
これらの問題点を克服するために、送信機は１次チャネルならびに２次チャネルで関連するフレーム順序番号とともにデータ・フレームを送ることができる。このようにして、受信機は、上述のように、最小待ち時間をもつ順番間隙の検出を可能にするであろう、１次チャネル上でフレームごとに信頼できるフレーム順序番号を受信することができる。フレーム順序番号は１次および２次チャネルでデータの各フレームとともに送られる。
【００２５】
したがって、図１で上述したように、ＲＬＰ層機能は１次チャネル上で受信されたＲＬＰ層に含有されるフレーム順序番号の間隙を探索し、フレーム順序番号の間隙が検出され、受信された次の「良好」なフレームが順序外である場合、外側ループはイレーシャが受信されたばかりであると判定し、ＮＡＣＫを送る。イレーシャが検出された場合、ＮＡＣＫは、失われたフレームの順序番号を示す情報とともに送信機に送られる。フレーム順序番号の間隙が検出されない場合、ＲＬＰ層機能はフレーム順序番号がＲＬＰ層にも存在するかどうかを判定する。存在し、間隙が検出されなかった場合、フレームは満足に受信され、誤りはなく、知られているようにＡＣＫを送信機に送ることができる。他の場合は、図１に関して説明したように、ＤＴＸフレームが受信されたばかりであり、受信機の外側ループはＤＴＸプロトコルを実装することができる、すなわち現在のしきい値を維持し、システム電力レベルに収束し、参照しきい値にシフト・アップまたはダウンし、現在のしきい値を維持し、追加のＤＴＸフレームが送信されたかどうかを判定するために指定されただけの時間、待機するなどが可能である。したがって、外側ループは２次チャネルを電力制御するために１次チャネル上で受信されたＲＬＰ情報内のフレーム順序番号を使用することができる。
【００２６】
さらなる説明として、受信機がイレーシャのバーストを受信した場合、受信機は１次および２次チャネルで送信されたフレームのフレーム順序番号に間隙を生成する。１次チャネルは信頼できるので、フレーム順序番号の間隙は、上述のように最小の遅れで検出され、２次チャネルの電力制御のために外側ループによって使用される。１次チャネルの速度は重要ではなく、ただ１次チャネルの信頼性および待ち時間が重要である。１次および／または２次チャネルで輸送されるデータ・フレームのフレーム順序番号はすべて１次チャネルで送られるので、２次チャネルでのイレーシャのバーストは受信機でのフレーム順序番号の間隙の検出を遅延させない。
【００２７】
以上、本発明の例示的な実施形態について説明したが、同じことは多数の方法で変更することができることは明らかであろう。そのような変更は逸脱とみなされるべきではなく、本発明の例示的な実施形態の範囲、および当業者に明らかであるようなすべてのそのような改変は首記の特許請求の範囲に含まれるものとする。
【図面の簡単な説明】
【００２８】
【図１】本発明の例示的な実施形態による方法を示す流れ図である。
【図２】本発明の例示的な実施形態による電力を送信するための調節を示す流れ図である。
【図３】本発明の例示的な実施形態による送信機に関する方法を示す流れ図である。
【図１】
2004343769.tif 000003
【図２】
2004343769.tif 000004
【図３】
2004343769.tif 000005